(57)【要約】【課題】大径ケーブルから小径ケーブルまで接続可能であり、取付操作及びロック操作が簡単で確実に保持し得、かつ小型化が可能であること。【解決手段】ハウジング部１の結合孔１ｃに摘み本体２ａの連結軸２ｂを貫通させ、その下端の係止部２ｃを結合孔１ｃの下部外縁に拡開係止させ、摘み本体２ａを回転自在に装入した摘み支持孔１ａ直下のケーブル保持空間１ｂに連結軸２ｂを巻く状態で螺旋形接片３ａを立ち上げ配置し、接続対象ケーブルを、摘み本体２ａがアンロック方向を向いた状態で、そのケーブル挿入孔２ｄからケーブル保持空間１ｂを通じて先端保持孔１ｄまで挿入した上で、その摘み本体２ａをロック方向に回転させると、ケーブルのケーブル保持空間１ｂに位置する部分が摘み本体２ａの下面と螺旋形接片３ａの上面との間に挟持されてロックされるように構成する。【選択図】  図１３
2004220873.tif 000002
【特許請求の範囲】
【請求項１】
絶縁性のハウジング部と、複数の摘み部材と、該摘み部材の数に対応する数のバネ状接片部材とからなる端子コネクタに於いて、
前記ハウジング部は、その上面に開口し、前記摘み部材の摘み本体下部を回転自在に支持する摘み支持孔と、該各摘み支持孔に上端が開口するケーブル保持空間と、前記摘み部材の連結軸を回転自在に貫通させる結合孔であって、上端が上記ケーブル保持空間に開口し、下端が該ハウジング部の下部に開口する結合孔と、前記ケーブル保持空間に上端が開口するケーブル先端保持用の先端保持孔であって、その上端が、アンロック方向を向いている前記摘み本体のケーブル挿入孔の下端開口部に一致する位置に開口するように位置決めされた先端保持孔とを備え、
前記摘み部材は、回転操作用の摘み本体と、該摘み本体の上面に上端が開口し、下端が、該摘み本体がアンロック方向を向いている場合に前記先端保持孔の上端開口部に一致する位置に開口するケーブル挿入孔と、該摘み本体の下部から垂下する連結軸であって、前記結合孔にその上端側から下端側に貫通させると、その最下部に配した係止部で、該結合孔の下端外縁に係止して抜け止め作用を果たすようになっている連結軸とを備え、
前記バネ状接片部材は、前記ケーブル保持空間に下方から上方に向かって前記摘み部材の連結軸を巻くように配された螺旋形接片であって、対応するケーブルをアンロック方向を向けた摘み本体のケーブル挿入孔から前記先端保持孔まで挿入した上で、該摘み本体を回転させてロック方向に向きを変えると、該ケーブルの途中の部位が該摘み本体の下面とこれとの間で固定されることとなるように配置されている螺旋形接片と、該螺旋形接片の下端から延長する延長片であって、前記ハウジング部の該当する部位に保持される延長片とを備えたものである端子コネクタ。
【請求項２】
前記結合孔を、その横断面による孔形状が縦横の一方向に長く、他方向に短い内側寸法を持つように構成し、
前記係止部を両側に弾力的に開く一対の係止突部で構成し、かつ該一対の係止突部を、これらが、該結合孔中を、その孔形状の長い寸法の方向である一方向に並んだ向きになっている場合にのみ閉じた状態で通過可能であり、その通過後には弾力的に開いて該結合孔の外縁部に係止して抜け止め作用を果たすように構成し、
更に前記摘み本体を、その連結軸の下端に構成した一対の係止突部が閉じた状態で前記結合孔を通過可能な向きにある場合に、アンロック方向を向くように構成したものである請求項１の端子コネクタ。
【請求項３】
前記結合孔の横断面による孔形状を、前記一対の係止突部が閉じた状態で通過可能なほぼ長方形の突部通過部と、その中央に位置し、該係止突部がハウジング部下部に抜け出た状態で、前記連結軸がその軸心を中心に回転可能である円形部とにより、縦横の一方向に長く、他方向に短い内側寸法を持つ形状に構成した請求項２の端子コネクタ。
【発明の詳細な説明】
【０００１】
【発明の属する技術分野】
本発明は、各種オーディオ機器又はＴＶ等に於けるオーディオ信号の入出力に用いられる端子コネクタに関するものである。
【０００２】
【従来の技術】
多くのオーディオ機器では、アンプを内蔵した本体部と、これに付属するスピーカ等とは別個に構成され、適宜、音響的に適正な位置に配置して使用できるようになっており、相互間の音声信号の伝達は相互を接続するケーブルを介して行われるようになっている。そしてこのような音声信号伝達用のケーブルは、その接続を容易かつ確実なものとする趣旨から各機器に備えられた端子コネクタを介して行われるようになっている。
【０００３】
このような端子コネクタとしては、従来、プッシュタイプ（特許文献１等）、レバータイプ（特許文献２等）及びネジタイプ（特許文献３等）の三種があり、それぞれ若干のデザインの相違は見られるもののほぼ同形状のものが提供されている。
【０００４】
前記プッシュタイプの端子コネクタは、基本的に、ケーブルの挿入孔を備えたハウジングと、該挿入孔の内面に沿って接片部が配された端子片と、該挿入孔に挿入されたケーブルを該接片部に押し付けつつ保持するための摘み付きの押圧手段とからなるものであり、比較的構造が簡単であるため、小型化しやすく、かつ低コストで製造可能である。
【０００５】
しかし前記押圧手段によるケーブルの保持は、該押圧手段の本体部分を押すコイルスプリング等のバネ材の力によってのみ行うものであるため、大径のケーブルでは十分な保持力を有し得ない場合が多い。保持力を上げようとすると、固いバネを使用せざるを得ず、その結果、摘みの操作性が悪化することとなるからである。そのため、摘みの操作性を許容しうる範囲内に納めうるバネ材を選択するとすれば、通常、このようなプッシュタイプの端子コネクタで使用できるケーブル径は、概ねＡＷＧ１８〜２４となり、小径のケーブルの接続に適するものとなる。
【０００６】
特許文献１の端子コネクタは、これをスピーカに取り付けた場合に、端子片とハウジングとの隙間から音が漏れる問題、端子片に荷重がかかった場合に変形しやすい問題、及び端子片がスピーカから放射される音に共振してビビリを生じる問題等を解決したものであり、その面では非常に優れたものであるが、前記の点では他の一般のプッシュタイプのそれと異なるところはない。
【０００７】
前記レバータイプの端子コネクタは、基本的に、ケーブルの挿入孔を備えたハウジングと、該挿入孔の一面側に配した弾性接片部を備えた端子片と、該挿入孔に挿入されたケーブルを該弾性接片部に押し付けつつ保持するための押圧部を備えたレバー部材とからなるものであり、片手で操作できるとか、レバー部材の開閉操作により挿入部に挿入したケーブルのロックが確認できる等の利点がある。通常、このようなレバータイプの端子コネクタでは、概ねＡＷＧ１４〜２４のケーブルの接続に対応できるものとなり、プッシュタイプのそれよりは、若干大径のケーブルの接続にも対応できる。
【０００８】
なお、このようなレバータイプの端子コネクタでは、前記端子片の接片部が挿入孔に挿入されたケーブルと良好に接触するものである必要から、文字通り、弾力性を有し、かつケーブルと接触する側に適切な可動範囲を有する必要があり、該接片部をそのようなバネ形状とする必要から小型化がし難いという問題点がある。
【０００９】
特許文献２の端子コネクタは、一般のケーブルの他にバナナプラグをも接続可能に構成したもので、レバー部材の押圧部に切欠部を形成し、該レバー部材の開状態で挿入孔にバナナプラグを挿入すると、該バナナプラグが該切欠部中に進入し、これと弾性接片部の間で保持されるようになっているものである。ケーブルは、同様に、レバー部材の開状態で挿入孔に挿入し、該レバー部材を引き起こして閉状態にすると、その押圧部と弾性接片部との間で挟持され保持されるようになっているものである。
【００１０】
従って特許文献２の端子コネクタは、レバータイプのそれでありながら、ケーブルに加えてバナナプラグをも接続可能にしたものであり、その点では非常に優れたものであるが、前記の点では一般のレバータイプのそれと異なるところはない。
【００１１】
前記ネジタイプの端子コネクタは、基本的に、周側部にケーブル挿入用の切欠部を備えた筒状部を立設した基板部と、該筒状部の底部にネジ孔を備えた接片部を配した端子部材と、下部に上記ネジ孔に螺合する雄ねじ部を垂下させた摘み部とからなるものであり、ケーブルは、前記切欠部から挿入して前記摘み部を回すことによりネジ孔にその雄ねじ部をねじ込み、該摘み部の下面と前記接片部との間で挟持して保持するようになっているものである。なお前記摘み部にはプラグ挿入孔が開口してあり、これにバナナプラグを挿入して接続できるようになってもいる。
【００１２】
このような構成であるため、切欠部の開口寸法、摘み部径及び雄ねじ部の長さをそれぞれ必要なだけ確保すれば、小径のケーブルから大径のケーブルまで幅広く接続可能となるものであり、通常、ＡＷＧ１０〜２４までのそれに対応することができる。またネジで締め付けるものであるため、ケーブルを確実に保持できるものでもある。一方で、ケーブルの取り付けに際して、摘み部の回転数が多くなりがちでやや厄介であること、構造上小型化が難しいこと、並びに、バナナプラグの接続は摘み部に対してその正面のプラグ挿入孔に挿入して行うことができるものであるが、ケーブルの接続は、摘み部に対して横から行わなければならない等の難点もある。
【００１３】
特許文献３の端子コネクタは、基板への端子板の組み込みを簡単にし、かつ組み立ての工程で行う必要のあった、摘み部の抜け止めのための雄ねじ部先端の加工工程を不必要にしたものであり、これらの問題点を解決した点では優れたものであるが、その構成の要点は、各部材の組み立てを容易にするための構造や摘み部の抜け止め手段にあり、前記の点では一般のネジタイプのそれと異なるところはない。
【００１４】
【特許文献１】
特開２００２−３２４５９７号公報（図１−図３）
【特許文献２】
特開２００１−１３５３７２号公報（図１−図４）
【特許文献３】
特許第３３２６４１３号公報（図１、図４）
【００１５】
【発明が解決しようとする課題】
以上のような従来のプッシュタイプ、レバータイプ及びネジタイプの各端子コネクタは、適用できるケーブルサイズ、ケーブル取付の容易性（正面からケーブルを挿入しうるか）、ロック操作の簡易性、ケーブルの保持力、並びに小型化しうるかの観点から、既述のように、それぞれ一長一短があり、広範囲な用法に於いて満足できるものであるとは言い難い。
【００１６】
従って、本発明は、ケーブルサイズの点では、ＡＷＧ１２の大径ケーブルからＡＷＧ２０の小径ケーブルまで接続可能であり、ケーブルの取付操作が容易で、そのロック操作が１／４回転程度で可能であり、かつ確実に保持し得るものであるとともに、小型化が可能である端子コネクタを提供することを解決の課題とする。
【００１７】
【課題を解決するための手段】
本発明の１は、絶縁性のハウジング部と、複数の摘み部材と、該摘み部材の数に対応する数のバネ状接片部材とからなる端子コネクタに於いて、
前記ハウジング部は、その上面に開口し、前記摘み部材の摘み本体下部を回転自在に支持する摘み支持孔と、該各摘み支持孔に上端が開口するケーブル保持空間と、前記摘み部材の連結軸を回転自在に貫通させる結合孔であって、上端が上記ケーブル保持空間に開口し、下端が該ハウジング部の下部に開口する結合孔と、前記ケーブル保持空間に上端が開口するケーブル先端保持用の先端保持孔であって、その上端が、アンロック方向を向いている前記摘み本体のケーブル挿入孔の下端開口部に一致する位置に開口するように位置決めされた先端保持孔とを備え、
前記摘み部材は、回転操作用の摘み本体と、該摘み本体の上面に上端が開口し、下端が、該摘み本体がアンロック方向を向いている場合に前記先端保持孔の上端開口部に一致する位置に開口するケーブル挿入孔と、該摘み本体の下部から垂下する連結軸であって、前記結合孔にその上端側から下端側に貫通させると、その最下部に配した係止部で、該結合孔の下端外縁に係止して抜け止め作用を果たすようになっている連結軸とを備え、
前記バネ状接片部材は、前記ケーブル保持空間に下方から上方に向かって前記摘み部材の連結軸を巻くように配された螺旋形接片であって、対応するケーブルをアンロック方向を向けた摘み本体のケーブル挿入孔から前記先端保持孔まで挿入した上で、該摘み本体を回転させてロック方向に向きを変えると、該ケーブルの途中の部位が該摘み本体の下面とこれとの間で固定されることとなるように配置されている螺旋形接片と、該螺旋形接片の下端から延長する延長片であって、前記ハウジング部の該当する部位に保持される延長片とを備えたものである端子コネクタである。
【００１８】
従って本発明の１の端子コネクタによれば、前記ケーブル挿入孔が前記摘み部材の上面に開口しているものであるため、接続対象のケーブルを正面から挿入できる操作の簡易なものであり、かつ該ケーブル挿入孔及び先端保持孔を必要な径に設定し、かつ前記ケーブル保持空間の高さを必要な寸法に設定すれば、容易にＡＷＧ１２の大径ケーブルからＡＷＧ２０の小径ケーブルまで接続可能なものとなる。
【００１９】
また摘み本体がアンロック方向を向いている状態で、前記ケーブル挿入孔から先端保持孔まで挿入したケーブルは、該摘み本体を９０度、即ち、１／４回転させれば、これをロックさせることができるものである。上記のように挿入されているケーブルは、上記のような摘み本体の操作で、その途中の前記ケーブル保持空間中に位置する部分が摘み本体の下面と前記螺旋形接片との間で挟持される状態となり、該螺旋形接片と電気的に結合するとともに、両者の間にしっかりとロックされることとなる。
【００２０】
こうして小型化の可能な構造でありながら、所期の目的をほぼ達成しうるものとなるものである。
【００２１】
本発明の２は、本発明の１の端子コネクタに於いて、前記結合孔を、その横断面による孔形状が縦横の一方向に長く、他方向に短い内側寸法を持つように構成し、
前記係止部を両側に弾力的に開く一対の係止突部で構成し、かつ該一対の係止突部を、これらが、該結合孔中を、その孔形状の長い寸法の方向である一方向に並んだ向きになっている場合にのみ閉じた状態で通過可能であり、その通過後には弾力的に開いて該結合孔の外縁部に係止して抜け止め作用を果たすように構成し、
更に前記摘み本体を、その連結軸の下端に構成した一対の係止突部が閉じた状態で前記結合孔を通過可能な向きにある場合に、アンロック方向を向くように構成したものである。
【００２２】
従って本発明の２の端子コネクタによれば、前記ハウジング部への摘み部材の取付けを、その連結軸を結合孔に挿入し、かつ下端の係止部を通過させることで簡単に行うことが可能であり、ケーブルのロック状態では、強い外力を受けても該摘み部材が抜けるようなおそれも生じない。
【００２３】
前記連結軸は、摘み部材をアンロック方向に向けた状態で、結合孔に挿入すれば、その先端の両係止突部間が閉じた状態となって、該結合孔を通過可能であり、通過すれば、該両係止突部はその間が弾力的に開いて該結合孔の外縁部に係止して連結軸及びその先端の摘み部を抜け止めする。摘み部材をロック方向に回転させると、該両係止突部も当然回転し、該結合孔の外縁部への係止状態は維持するが、この状態では、該結合孔の既述の形状との関係で、両両係止突部はその間が閉じても該結合孔を通過することはできない。それ故、この状態、即ち、摘み部材をロック方向に回転させ、ケーブルをロックした状態では該摘み部材が抜け出るおそれは生じない。
【００２４】
本発明の３は、本発明の２の端子コネクタに於いて、前記結合孔の横断面による孔形状を、前記一対の係止突部が閉じた状態で通過可能なほぼ長方形の突部通過部と、その中央に位置し、該係止突部がハウジング部下部に抜け出た状態で、前記連結軸がその軸心を中心に回転可能である円形部とにより、縦横の一方向に長く、他方向に短い内側寸法を持つ形状に構成したものである。
【００２５】
従って本発明の３の端子コネクタによれば、本発明の２のそれと同様に、前記ハウジング部への摘み部材の取付けを、その連結軸を結合孔に挿入し、かつ下端の係止部を通過させることで簡単に行うことが可能であり、ケーブルのロック状態では、これを確実に行うことができ、強い外力を受けても該摘み部材が抜けるようなおそれも生じない。
【００２６】
【発明の実施の形態】
本発明の実施の形態を一実施例に基づき図面を参照しつつ詳細に説明する。
【００２７】
この実施例の端子コネクタは、図１〜図５に示すように、基本的に、ハウジング部１と、これに配した４個の摘み部材２、２…と、該各摘み部材２、２…に対応してハウジング部１に配したバネ状接片部材３、３…とにより構成したものである。
【００２８】
前記ハウジング部１は、特に図６〜図８に示すように、絶縁性部材で構成されたブロック状の部材であり、その上面に、上面に開口する円形の４個の摘み支持孔１ａ、１ａ…を縦横に配列し、それらの各摘み支持孔１ａにはその底部に開口するケーブル保持空間１ｂを開口し、更にその中央に前記摘み部材２の連結軸２ｂを貫通させる結合孔１ｃを開口したものである。
【００２９】
前記摘み支持孔１ａは、前記摘み部材２の摘み本体２ａ下部を回転自在に支持する空間であり、それに対応する径と深さに構成する。また前記ケーブル保持空間１ｂは、該摘み支持孔１ａより僅かに小径のほぼ円形の空間であり、その深さは、この実施例では、接続を予定する最大径のＡＷＧ１２のケーブルをその中で良好に保持しうる程度とする。即ち、後述するように、該ケーブル保持空間１ｂに於いて、接続対象の大径ケーブルを、前記摘み部材２の摘み本体２ａの下面と前記バネ状接片部材３の螺旋形接片３ａの上面との間で良好に保持しうる深さとする。
【００３０】
前記結合孔１ｃは、その横断面による孔形状を、特に図６に示すように、ほぼ長方形の突部通過部１ｃ１と、その中央に位置する円形部１ｃ２とにより、縦横の一方向である、前記摘み部材２の摘み本体２ａのアンロック方向の向きと直交する向きに長く、これに交差する方向に短い内側寸法を持つ形状に構成したものである。
【００３１】
前記突部通過部１ｃ１は、特に図８に示すように、上部は、上方に向かってやや開いたテーパ状、中間部はストレート、そして下部は若干狭めた形状となっている。上部のテーパ状の部分は、前記摘み部材２をハウジング部１に取り付ける際に、後述する一対の係止突部２ｃ１、２ｃ１を結合孔１ｃ内に導きやすくする趣旨であり、下部の狭めた部分は、上記一対の係止突部２ｃ１、２ｃ１をその幅が最小限度になるように完全に閉じた状態でここを通過させ、通過直後に弾力的に拡開させて、該結合孔１ｃの外縁部に係止させる趣旨である。上記ストレートの部分は、下部の狭めた部分より若干幅広に構成してあるが、これは、該一対の係止突部２ｃ１、２ｃ１を僅かに閉じた程度の状態でスムーズに通過させようとする趣旨である。
【００３２】
なお該突部通過部１ｃ１は、先に述べたように、平面から見てほぼ長方形状の構成であり、一対の係止突部２ｃ１、２ｃ１がこの中に位置している間は、これが回転不能であるため、連結軸２ｂを介して結合している摘み本体２ａは回転させることができない。
【００３３】
前記円形部１ｃ２は、前記係止突部２ｃ１、２ｃ１がハウジング部１外に抜け出た状態で、前記摘み部材２の連結軸２ｂがその軸心を中心に回転可能であるようにその径を設定する。
【００３４】
前記ハウジング部１には、図６及び図７に示すように、更に前記ケーブル保持空間１ｂの底面に上端が開口するケーブル先端保持用の先端保持孔１ｄを形成する。該先端保持孔１ｄは、予定する最大径のケーブルを挿入しうる径とし、かつ図４に示すように、その上端が、アンロック方向を向いている前記摘み本体２ａの後述するケーブル挿入孔２ｄの下端開口部に一致する位置に開口するように位置決めする。
【００３５】
また前記ハウジング部１には、図６及び図８等に示すように、前記バネ状接片部材３、３…の各延長片３ｂ、３ｂ…を挿入固定する延長片用スリット部１ｅ及び該各延長片３ｂ、３ｂ…に電気的に結合してハウジング部１外に延長する端子片３ｃを挿入固定する端子片用スリット部１ｆ、並びにハウジング部１それ自体を対象の機器に取り付けるためのボルト孔等を備える。
【００３６】
前記延長片用スリット部１ｅは、図６及び図８に示すように、その上端が、平面から見た前記結合孔１ｃの長さ方向外端側に近接して、前記ケーブル保持空間１ｂの底面に開口するように位置決めしたものである。前記端子片用スリット部１ｆは、同図に示すように、各々対応する延長片用スリット部１ｅに連通状態で外部側に隣接して形成したものである。
【００３７】
前記摘み部材２、２…は、図９（ａ）〜（ｅ）に示すように、最上部に位置する回転操作用の摘み本体２ａと、該摘み本体２ａの下部から垂下した連結軸２ｂと、該連結軸２ｂの下端に形成した係止部２ｃと、前記摘み本体２ａに形成したケーブル挿入孔２ｄとからなるものである。
【００３８】
前記摘み本体２ａは、図９（ａ）〜（ｃ）に示すように、上部の摘み部分と下部の円柱状の部分とからなり、図１、図４、図５及び図１３に示すように、その下部の部分が前記ハウジング部１の摘み支持孔１ａにその軸心を中心に回転自在に装入されるものである。なお後述するように、図１の状態で、各摘み本体２ａは、アンロック方向を向いている。図１中、左上と右下の摘み本体２ａ、２ａは、それぞれ現在のアンロック状態から、時計回り方向に９０度回転させるとロック状態になり、右上と左下の摘み本体２ａ、２ａは、それぞれ反時計回り方向に９０度回転させるとロック状態になるようになっている。
【００３９】
前記連結軸２ｂは、その径を前記結合孔１ｃの円形部１ｃ２の径を僅かに下回る程度とし、この中で自在に回転可能であるようにする。またその長さは、前記摘み本体２ａの下部を、前記のように摘み支持孔１ａ中に回転自在に装入した状態で、図４、図５及び図１３に示すように、下端の係止部２ｃが該結合孔１ｃの下端外縁に係止することとなるように設定する。
【００４０】
前記係止部２ｃは、特に図９（ｂ）に示すように、連結軸２ｂの下端に形成した一対の係止突部２ｃ１、２ｃ１からなり、該一対の係止突部２ｃ１、２ｃ１はその上部から延長する腕部で該連結軸２ｂに一体に結合している。また該一対の係止突部２ｃ１、２ｃ１は、弾性部材で形成されている腕部（連結軸２ｂ及び摘み本体２ａも同じ）により、外力が加わらない限り、相互が離間乃至開いた状態になっている。
【００４１】
更に一対の該係止突部２ｃ１、２ｃ１は、前記摘み本体２ａの上部の摘み部分の向きと直交する向きに配列されており、該摘み本体２ａの下部を前記摘み支持孔１ａにアンロック方向を向けた状態で装入すると、図５及び図１３の下方の摘み部材２並びに図１２のそれのように、その一対の係止突部２ｃ１、２ｃ１の配列が前記結合孔１ｃの突部通過部１ｃ１の平面から見た長さ方向と一致し、該結合孔１ｃ中をスムーズに通過できることとなり、これらをその下端外縁に係止させることができる。
【００４２】
なお先に述べたように、該一対の係止突部２ｃ１、２ｃ１は、結合孔１ｃを通過中は、その突部通過部１ｃ１中に位置し、これが平面から見てほぼ長方形状の構成であるため、回転不能であり、連結軸２ｂを介して該一対の係止突部２ｃ１、２ｃ１に結合している摘み本体２ａも回転させることはできない。該一対の係止突部２ｃ１、２ｃ１が、図４、図５及び図１３に示すように、結合孔１ｃの下部に突出して初めて回転可能になる。
【００４３】
また前記ケーブル挿入孔２ｄは、図９（ａ）、（ｄ）、（ｅ）に示すように、前記摘み本体２ａの上下に貫通する孔であるが、下部途中で外方に僅かに曲がった上で垂下し、下端は上端開口部より僅かに外方にずれて開口する。該ケーブル挿入孔２ｄは、該摘み本体２ａの先端側で以上のように上下貫通するものであるが、更に先に述べかつ図４に示すように、その下端開口部は、該摘み本体２ａがアンロック方向を向いている場合に前記先端保持孔１ｄの上端開口部に一致する位置関係に形成されるものである。
【００４４】
前記バネ状接片部材３は、図１０（ａ）、（ｂ）、（ｃ）に示すように、上部の螺旋形接片３ａとその基部から垂下する延長片３ｂとからなるものであり、その螺旋形接片３ａは、図５、図１１、図１２及び図１３に示すように、前記ケーブル保持空間１ｂ中にその中央を垂下する連結軸２ｂを巻くような態様で設置する。該螺旋形接片３ａは、延長片用スリット部１ｅに挿入した延長片３ｂの上端から立ち上がり、先端に向かって、文字通り螺旋状に上昇し、その先端部は、外力が加わらない限り該ケーブル保持空間１ｂの最上部、即ち、その上の摘み支持孔１ａに配してある摘み本体２ａの下面に当接した状態になっているものである。
【００４５】
該バネ状接片部材３は、図１０に示した反時計回りに螺旋形接片３ａが上昇するタイプのそれの他に、これと対称形のそれも構成し、４個のケーブル保持空間１ｂ、１ｂ…毎に使い分けるものである。図１１に示すように、同図中右上のケーブル保持空間１ｂに於いては、螺旋形接片３ａが、同図中上方に位置する延長片用スリット部１ｅに挿入した延長辺３ｂから立ち上がり、かつ時計回り螺旋で上昇するそれを配置し、同図中その下方のケーブル保持空間１ｂに於いては、反時計回りに螺旋形接片３ａが上昇するタイプのそれを上下対称に配するものである。左側の二つのケーブル保持空間１ｂ、１ｂに於いては、右側の各々に配したバネ状接片部材３、３と左右対称になるように、各々対応するタイプのバネ状接片部材３、３を配するものである。
【００４６】
なお、前記したように、前記各延長片用スリット部１ｅに挿入固定した各延長片３ｂは該延長片用スリット部１ｅに隣接する端子片用スリット部１ｆに挿入固定した各端子片３ｃに後者の突曲部で接して電気的に結合する。該各端子片３ｃはハウジング部１外に延長している。
【００４７】
従ってこの実施例の端子コネクタによれば、接続対象のケーブルをアンロック方向を向いている摘み本体２ａのケーブル挿入孔２ｄに挿入して、該摘み本体２ａを１／４回転、即ち、９０度だけ所定の方向に回転させれば簡単にケーブルを接続し、かつ確実にロックすることができる。即ち、この実施例の端子コネクタによれば、ケーブルを挿入すべきケーブル挿入孔２ｄが摘み本体２ａの上面に開口しているため、接続対象のケーブルを正面から挿入できる操作の簡易なものであり、かつ該ケーブル挿入孔２ｄ及び先端保持孔１ｄを前記のような径に設定し、かつ前記ケーブル保持空間１ｂの高さを前記のようなに設定してあるので、容易にＡＷＧ１２の大径ケーブルからＡＷＧ２０の小径ケーブルまで接続可能なものとなるものである。
【００４８】
前記し、かつ図１及び図２（ａ）、（ｂ）に示すように、ケーブルｃは、摘み本体２ａがアンロック方向を向いている状態で、該摘み本体２ａに開口したケーブル挿入孔２ｄに挿入することができる。該ケーブル挿入孔２ｄに挿入したケーブルｃは可能なだけ押し込んで行くと、その先端はハウジング部１のケーブル保持空間１ｂを通じてその底部に開口した先端保持孔１ｄに進入しその底部に突き当たってそれ以上の進行が停止する。
【００４９】
このようにそれ以上の押し込み操作ができなくなるまでケーブルｃを挿入した上で、摘み本体２ａを所定の方向、例えば、その摘み本体２ａが図１中右上のそれであれば、反時計回りに１／４回転、即ち、９０度回転させると、ロック位置になり、ケーブルｃはロックされることとなる。
【００５０】
アンロック位置で挿入されたケーブルｃは、図１３中に一点鎖線で示したように、摘み本体２ａをロック方向に回転させると、そのケーブル挿入孔２ｄ中に位置する部分が９０度だけ強制的に回転移動させられ、これに伴ってそれより下方の部分がその方向に引っ張られ、更にその直下のケーブル保持空間１ｂ中に位置する部分が該摘み本体２ａの下面と前記螺旋形接片３ａとの間に進入し、該螺旋形接片３ａを押し下げるとともに、両者によって挟持された状態になり、確実にロックされることとなる。
【００５１】
また前記のようなケーブルｃのロック状態では、摘み部材２の連結軸２ｂの下端に形成した係止部２ｃは、図３中、右上と右下のそれのように、平面から見た結合孔１ｃの長さ方向に直交する方向にその係止突部２ｃ１、２ｃ１が並んだ状態になっており、摘み本体２ａを前方から引っ張る強い外力が作用したとしても抜けることは不可能である。従ってケーブルｃが摘み部材２とともに抜けてしまうような問題の生じる余地もない。
【００５２】
こうしてケーブルｃは確実にロックされることとなるものであるが、更に前記のように、螺旋形接片３ａに強く接触するものであり、確実な電気的結合をも確保できることとなる。
【００５３】
なお上記ケーブルｃの取り外しは、前記摘み本体２ａをアンロック方向に回転させ、次いでロックが解けたケーブルｃを引き抜けばよいのは云うまでもない。
【００５４】
【発明の効果】
本発明の１の端子コネクタによれば、ケーブル挿入孔が摘み本体の上面に開口しており、接続対象のケーブルを正面から挿入できるため、操作が簡易なものであり、かつ該ケーブル挿入孔及び先端保持孔を必要な径に設定し、かつ前記ケーブル保持空間の高さを必要な寸法に設定すれば、容易にＡＷＧ１２の大径ケーブルからＡＷＧ２０の小径ケーブルまで接続可能なものとなる。
【００５５】
また摘み本体がアンロック方向を向いている状態で、前記ケーブル挿入孔から先端保持孔まで挿入したケーブルは、該摘み本体を９０度、即ち、１／４回転させるだけで、これを簡単にロックさせることができる。上記のように挿入されているケーブルは、上記のような摘み本体の操作で、その途中の前記ケーブル保持空間中に位置する部分が該摘み本体の下面と前記螺旋形接片との間で挟持される状態となり、該螺旋形接片と電気的に結合するとともに、両者の間にしっかりと固定されることとなる。
【００５６】
なおこのようにロックされているケーブルは、同じ角度だけ逆方向に回転させれば、抜き取ることができるのは云うまでもない。
【００５７】
またこうして小型化の可能な構造でありながら、所期の目的をほぼ達成しうるものとなっている。
【００５８】
本発明の２の端子コネクタによれば、前記ハウジング部への摘み部材の取付けを、その連結軸を結合孔に挿入し、かつ下端の係止部をその下端外部まで通過させることで簡単に行うことが可能であり、該摘み部材をこの状態からロック状態にすると、強い外力を受けても該摘み部材が抜けるようなおそれは生じない。
【００５９】
本発明の３の端子コネクタによれば、本発明の２のそれと同様に、前記ハウジング部への摘み部材の取付けを、その連結軸を結合孔に挿入し、かつ下端の係止部を通過させることで簡単に行うことが可能であり、ケーブルのロック状態では、これを確実に行うことができ、強い外力を受けても該摘み部材が抜け出るようなおそれも全く生じない。
【図面の簡単な説明】
【図１】一実施例の端子コネクタの平面図。
【図２】（ａ）は一実施例の端子コネクタの正面図。
（ｂ）は一実施例の端子コネクタの右側面図。
【図３】一実施例の端子コネクタの右側の二つの摘み本体をロック状態に回転させた状態の底面図。
【図４】一方の摘み本体の断面を省略した図１のＡ−Ａ線断面図。
【図５】一方の摘み本体をロック側に回転させた状態にして断面し、他方の摘み本体の断面を省略した図１のＢ−Ｂ線断面図。
【図６】ハウジング部の正面図。
【図７】図６のＣ−Ｃ線断面図。
【図８】図６のＤ−Ｄ線断面図
【図９】（ａ）は摘み部材の平面図。
（ｂ）は摘み部材の右側面図。
（ｃ）は摘み部材の正面図。
（ｄ）は摘み部材の底面図。
（ｅ）は（ａ）のＥ−Ｅ線断面図。
【図１０】（ａ）はバネ状接片部材の拡大平面図。
（ｂ）はバネ状接片部材の正面図。
（ｃ）はバネ状接片部材の右側面図。
【図１１】一実施例の端子コネクタの摘み部材を取り除いた状態の平面図。
【図１２】摘み部材の連結軸以下を結合孔に挿入する様子を示す断面図。
【図１３】一方の摘み本体のみをロック側に回転させてケーブルをロックした状態を示す断面図。
【符号の説明】
１    ハウジング部
１ａ  摘み支持孔
１ｂ  ケーブル保持空間
１ｃ  結合孔
１ｃ１  突部通過部
１ｃ２  円形部
１ｄ  先端保持孔
１ｅ  延長片用スリット部
１ｆ  端子片用スリット部
２    摘み部材
２ａ  摘み本体
２ｂ  連結軸
２ｃ  係止部
２ｃ１  係止突部
２ｄ  ケーブル挿入孔
３    バネ状接片部材
３ａ  螺旋形接片
３ｂ  延長片
３ｃ  端子片
ｃ    ケーブル
【図１】
2004220873.tif 000003
【図２】
2004220873.tif 000004
【図３】
2004220873.tif 000005
【図４】
2004220873.tif 000006
【図５】
2004220873.tif 000007
【図６】
2004220873.tif 000008
【図７】
2004220873.tif 000009
【図８】
2004220873.tif 000010
【図９】
2004220873.tif 000011
【図１０】
2004220873.tif 000012
【図１１】
2004220873.tif 000013
【図１２】
2004220873.tif 000014
【図１３】
2004220873.tif 000015